(57)【要約】【課題】被転写シートの汚れが防止できる電子写真装置を提供する。【解決手段】感光体シート２をドラムに巻き付けて、そのドラムの感光体シート取り出し口がドラムキャップ１２で覆われた感光体ドラムと転写ベルト６を備えた転写ベルト方式の電子写真装置において、ドラムキャップ１２の外周端部がドラムに巻き付けられた感光体シート２の外周より内側に位置しており、ドラムキャップ１２の外周端部が転写ベルト６と接触しないことを特徴とする。【選択図】  図３
2010020125.tif 000002
【特許請求の範囲】
【請求項１】
感光体シートをドラムに巻き付けて、そのドラムの感光体シート取り出し口がドラムキャップで覆われた感光体ドラムと、転写ベルトを備えて、前記感光体ドラムの電荷受容面上に形成されたトナー画像を前記転写ベルトで搬送されて来た被転写シート上に転写する転写ベルト方式の電子写真装置において、
前記ドラムキャップの外周端部が、前記ドラムに巻き付けられた感光体シートの外周より内側に位置しており、前記ドラムキャップの外周端部が前記転写ベルトと接触しないことを特徴とする電子写真装置。
【発明の詳細な説明】
【技術分野】
【０００１】
本発明は、電子写真装置の、特に感光体ドラムキャップの構造に関するものである。
【背景技術】
【０００２】
被転写シートが搬送途中でジャムや障害により停止して、搬送された被転写シートが転写部に到達しない場合、感光体上に形成されたトナー像は被転写シートではなく、転写搬送手段上に直接転写されることがある。また、この他に被転写シート端部（前後左右）に印刷した場合、被転写シート走行精度との関係で被転写シートがずれて転写部に搬送されることがあり、この場合は被転写シート外近傍にトナー像が残る。
【０００３】
また、転写搬送手段の幅に対して小さい被転写シートを用いる場合、非通紙領域部分（転写ベルトが被転写シートと接触しない領域）には潜像はないが、背景部にトナーが付着する現象（所謂、かぶり）が発生する。従って、非通紙領域のかぶりトナーが転写搬送手段に転写される。これらの転写ベルト上に転写されたトナーは被転写シートを汚す原因となるため、前記転写ベルトは、コロナ帯電器によって転写搬送手段上に付着した異物に対して清掃を容易にできるような前処理を行った後、ウレタン等からなるブレードやトナーと逆極性のバイアスを印加した導電性ブラシによって、トナーを除去する方式のような複雑な清掃機構を必要していたが、従来技術で転写ベルトの清掃は、ディスチャージャ方式（特許文献２）により、清掃機構の簡略化が可能となった。
【０００４】
しかし、ドラムキャップに付着したトナーに関しては、感光体ドラムの回転周期にて毎回汚れが発生し、上記ディスチャージャ方式の障害となるため、現像時にドラムキャップの表面にトナーを付着させないように、ドラムキャップの表面電位を現像バイアス電圧よりも充分高い電圧に保持し、かつ、ドラムキャップの表面に誘電体皮膜を形成してトナー電荷による鏡像力を小さくしておき、さらに、ドラムキャップの表面電位を現像バイアス電圧よりも充分高い電圧に保持するためにドラムキャップとアースとの間にコンデンサを接続し帯電器からの充電電流によってコンデンサを充電してドラムキャップに電位を与え対策している（特許文献１）。
【０００５】
【特許文献１】特開平５−２７５７３号公報
【特許文献２】特開平９−２１６６５７号公報
【発明の開示】
【発明が解決しようとする課題】
【０００６】
上記対策により電気的なトナーのドラムキャップへの付着は回避できたが、現像時にドラム円周方向のドラムキャップ端部と感光体シートの境目における物理的掻き取りによりトナーの付着が発生し、それが転写ベルトに転写され、被転写シートを汚す原因となっていた。
【０００７】
本発明の目的は、このような従来技術の欠点を解消し、被転写シートの汚れが防止できる電子写真装置を提供することにある。
【課題を解決するための手段】
【０００８】
上記目的を達成するため本発明は、感光体シートをドラムに巻き付けて、そのドラムの感光体シート取り出し口がドラムキャップで覆われた感光体ドラムと、転写ベルトを備えて、前記感光体ドラムの電荷受容面上に形成されたトナー画像を前記転写ベルトで搬送されて来た被転写シート上に転写する転写ベルト方式の電子写真装置において、前記ドラムキャップの外周端部が、前記ドラムに巻き付けられた感光体シートの外周より内側に位置しており、前記ドラムキャップの外周端部が前記転写ベルトと接触しないことを特徴とするものである。
【発明の効果】
【０００９】
本発明は前述のような構成になっており、ドラムキャップ端部と感光体シートの境目に付着したトナーが転写ベルトに転写され、それによる被転写シートの汚れが防止できる電子写真装置を提供することができる。
【発明を実施するための最良の形態】
【００１０】
本発明は、感光体シートをドラムに巻き付けて構成した感光体ドラムの感光体シート取り出し口のドラムキャップと、感光体ドラムの周りに、感光体に帯電を行う帯電器と、帯電した感光体ドラムに露光を行い感光体上に静電潜像を形成する光学器と、所定の電圧が印加された回転可能な現像ロールを有し、この現像ロール上に現像剤を搬送し、現像ロール上の現像剤が感光体に接触する現像部で感光体上に形成された静電潜像を現像する現像機と、ベルト転写方式により感光体の電荷受容面上に形成されたトナー画像を被転写シートに転写する転写ベルトを備える転写器を有する電子写真装置に係り、特に前記ドラムキャップの構造に関するものである。
【００１１】
以下、本発明の実施例について図面を用いて説明するが、その前に従来の電子写真装置におけるドラムキャップと転写ベルトの関係について図３を用いて説明する。
【００１２】
感光体シート２をドラムに巻き付けて、そのドラムの感光体シート取り出し口がドラムキャップ１２で覆われて感光体ドラムが構成されている。この感光体ドラムの転写部には転写ベルト６と転写器７が配置され、被転写シート５が転写ベルト６により搬送される。
【００１３】
ところで従来の電子写真装置では同図に示すように、前記ドラムキャップ１２の外周端部が、前記ドラムに巻き付けられた感光体シート２の外周より若干外側に位置しており、ドラムキャップ１２の外周端部が転写ベルト６と接触する構造になっていた。そのため前述したように、現像時にドラム円周方向のドラムキャップ端部と感光体シート２の境目にトナーの付着が発生し、それが転写ベルト６に転写され、被転写シート５を汚す原因となっていた。
【００１４】
図１は本発明の実施例に係る電子写真装置の概略構成図、図３はその電子写真装置のドラムキャップと転写ベルトの関係を示す図である。
【００１５】
感光体ドラム２は帯電器１のコロナ放電により表面が均一に帯電された後、半導体レーザやＬＥＤ等の光源３により潜像が形成され、現像機４によってトナーが感光体ドラム２上に付着する。
【００１６】
被転写シート５は被転写シート搬送機能と転写機能を兼ね備えた誘電体からなる転写ベルト６によって搬送された後、転写部に到達し、ここで感光体ドラム２上のトナー像が転写器７によってこの被転写シート５上に転写される。この後、被転写シート５は定着ロール（不図示）によって定着され、感光体１上に残ったトナー像は、プレチャージャ８、イレーズランプ９を経て、感光体クリーナ１０によって清掃後、再び次の工程に移る。
【００１７】
感光体ドラム２は感光体シート１１をドラムの周上に巻きつけて構成され、感光体シート１１の取り出し口はドラムキャップ１２で覆われている。このドラムキャップ１２部は静電潜像を作成できないため、被転写シート５がドラムキャップ１２に接触しないように、感光体ドラム２は回転している。
【００１８】
従ってドラムキャップ１２は常に被転写シート５がない状態で転写ベルト６に接触するわけであるが、ドラムキャップ１２が現像機４を通過したときに感光体ドラム２上の感光体シート１１とドラムキャップ１２の境目に付着したトナーが、感光体ドラム２の外周より内側にドラムキャップ１２の端部があるので、ドラムキャップ１２は転写ベルト６と直接接触しないため、転写ベルト６へのトナーの付着が生じない。また感光体シート１１とドラムキャップ１２の境目に付着したトナーは、感光体クリーナ１０によって除去され、前記境目が清掃される。
【図面の簡単な説明】
【００１９】
【図１】本発明の実施例に係る電子写真装置の概略構成図である。
【図２】従来の電子写真装置におけるドラムキャップと転写ベルトの関係を示す図である。
【図３】本発明の実施例に係る電子写真装置におけるドラムキャップと転写ベルトの関係を示す図である。
【符号の説明】
【００２０】
１：帯電器、２：感光体ドラム、３：光源、４：現像機、５：被転写シート、６：転写ベルト、７：転写器、８：プレチャージャ、９：イレーズランプ、１０：感光体クリーナ、１１：感光体シート、１２：ドラムキャップ。
【図１】
2010020125.tif 000003
【図２】
2010020125.tif 000004
【図３】
2010020125.tif 000005